(57)【要約】    【課題】光源の光が農作物の育成に悪影響を与えてしまうことを防止できるとともに、遮光する必要のない際には、収納部内にコンパクトに収納し、遮光範囲を拡大させることができるとともに、風などによる悪影響を防止することもできる遮光板を提供すること。    【解決手段】そこで、本発明では、農作物と光源との間に設置し、前記光源からの農作物側への光を遮る遮光板と、同遮光板を不使用時に収納する収納部とを具備することとした。【選択図】          図１
2005071893.tif 000002
【特許請求の範囲】
【請求項１】
農作物と光源との間に設置し、前記光源からの農作物側への光を遮る遮光板と、同遮光板を不使用時に収納する収納部とを具備することを特徴とする遮光装置。
【請求項２】
前記光源を外灯とし、同外灯を取り付ける柱体に取り付け可能としたことを特徴とする請求項１記載の遮光装置。
【請求項３】
前記遮光板はスライド構造によって前記収納部内に収納可能としたことを特徴とする請求項１または２に記載の遮光装置。
【請求項４】
前記遮光板は折りたたむことによって前記収納部内に収納可能としたことを特徴とする請求項１または２に記載の遮光装置。
【請求項５】
前記遮光板は、前記光源に対して取付角度調整自在に構成したことを特徴とする請求項１〜４のいずれか１項に記載の遮光装置。
【請求項６】
光源から農作物側への光を遮る遮光板と、前記光源に対して角度調整自在に構成した可動遮光板とを具備することを特徴とする遮光装置。
【請求項７】
前記遮光板に多数の風穴を形成したことを特徴とする請求項１〜６のいずれか１項に記載の遮光装置。
【請求項８】
前記風穴に遮光用庇体を設けたことを特徴とする請求項７記載の遮光装置。
【発明の詳細な説明】
【技術分野】
【０００１】
本発明は、遮光板に関し、詳しくは歩道などに隣接する農地で生育される農作物に、防犯灯火などの夜間照明が照射されることを防止可能とした遮光板に関するものである。
【背景技術】
【０００２】
従来、道路脇に設置される電信柱などの柱体に外灯を設けて路面を照らし、夜間に人または車両等が安全に通行できるようにすることがある。
【０００３】
例えば、このような外灯として、外灯の下面に開口端部を有する器具本体と、同器具本体の開口端部と発光管の軸とがほぼ同一面状に位置するように器具本体内に配設される光源と、同光源に光学的に対向し、器具本体内に配設される反射体と、器具本体の開口端部側に配設され、下面に開口を有する透光性カバーを具備して、使用上好ましい配光特性を得ようとするものがある（例えば、特許文献１参照）。
【特許文献１】特開２０００−１４９６１３号公報
【発明の開示】
【発明が解決しようとする課題】
【０００４】
しかしながら、上記従来の外灯では、人などが安全に通行できるように確実に路面を照らすものの、農作物を栽培する農地などの近隣に設置する場合には、外灯の光が農地の農作物をも照らしてしまい、農作物の育成に悪影響を及ぼすことがあった。
【０００５】
夜間歩行の安全を図る上でも、また、防犯上からも外灯の設置が望まれており、特に、都市郊外に開発された新興住宅街などでは、通勤・通学途中に農地が存在するケースが多いことから、女性や青少年層の帰宅が遅くなる場合、本人はもとより、家人も心配が絶えないという現状がある。
【０００６】
そのような現状を踏まえ、地方自治体などでは外灯設置の推進を図ってはいるものの、上述したように農作物の育成不良などが生じると農業従事者にとって死活問題となるために、農業従事者側とすれば心ならずも設置に反対せざるをえない。その結果、外灯を設置したくても設置できずにいる場所が今現在多数残されている。
【０００７】
本発明は、上記課題を解決することのできる遮光装置を提供することを目的としている。
【課題を解決するための手段】
【０００８】
そこで、請求項１記載の本発明では、農作物と光源との間に設置し、前記光源からの農作物側への光を遮る遮光板と、同遮光板を不使用時に収納する収納部とを具備することとした。
【０００９】
請求項２記載の本発明では、前記光源を外灯とし、同外灯を取り付ける柱体に取り付け可能とした。
【００１０】
請求項３記載の本発明では、前記遮光板はスライド構造によって前記収納部内に収納可能とした。
【００１１】
請求項４記載の本発明では、前記遮光板は折りたたむことによって前記収納部内に収納可能とした。
【００１２】
請求項５記載の本発明では、前記遮光板は、前記光源に対して取付角度調整自在に構成した。
【００１３】
また、請求項６記載の本発明では、光源から農作物側への光を遮る遮光板と、前記光源に対して角度調整自在に構成した可動遮光板とを具備することとした。
【００１４】
請求項７記載の本発明では、前記遮光板に多数の風穴を形成した。
【００１５】
請求項８記載の本発明では、前記風穴に遮光用庇体を設けた。
【発明の効果】
【００１６】
（１）請求項１記載の本発明では、農作物と光源との間に設置し、前記光源からの農作物側への光を遮る遮光板と、同遮光板を不使用時に収納する収納部とを具備する構成としたので、遮光板によって光源の光が農作物の育成などに悪影響を与えてしまうことを防止できるとともに、遮光する必要のないときには、遮光板を収納部内にコンパクトに収納し、遮光範囲を拡大させることができるとともに、風などによる悪影響を防止することもできる。
【００１７】
（２）請求項２記載の本発明では、前記光源を外灯とし、同光源を取り付ける柱体に取り付け可能としたので、遮光装置を光源に直接取り付けることなく、柱体に容易に取り付けることができ、外灯の光が農作物の育成に悪影響を与えることを防止することができる。また、外灯のメンテナンス時には、上述したように遮光板を収納部内に収納することができるので作業の邪魔になることがない。
【００１８】
（３）請求項３記載の本発明では、前記遮光板はスライド構造によって前記収納部内に収納可能としたので、遮光板の収納作業が容易となり、遮光の必要のない場合は、遮光板をスライドして容易に収納部内に収納しておくことができる。
【００１９】
（４）請求項４記載の本発明では、前記遮光板は折りたたむことによって前記収納部内に収納可能としたので、遮光板の収納作業が容易となり、遮光の必要のない場合は、遮光板を折りたたんで容易に収納部内に収納しておくことができる。
【００２０】
（５）請求項５記載の本発明では、前記遮光板は、前記光源に対して取付角度調整自在に構成したので、外灯の設置位置を変えることなく、容易に遮光する角度についても調整可能となる。したがって、上記（１）〜（４）の効果に加え、例えば農作物を栽培する農地に光を照らさないようにするとともに、路面のみを照らすように調整するなどの調整を自在にすることができる。
【００２１】
また、遮光板の取り付け位置とその取り付け角度によっては、遮光板の小型化が図れ、小型化に伴い軽量化できるので、設置作業が容易になるとともに、風などの影響も可及的に小さくできる。
【００２２】
（６）請求項６記載の本発明では、光源から農作物側への光を遮る遮光板と、前記光源に対して角度調整自在に構成した可動遮光板とを具備することとしたので、光源の光が農作物の育成に悪影響を与えることを防止するとともに、可動遮光板の光源に対する角度を自在に調整して所望の方向を照らすことができる。
【００２３】
（７）請求項７記載の本発明では、前記遮光板に多数の風穴を形成したことにより、軽量化が図れるとともに、風穴によって風を逃がすことで大きな風圧を受けることがなくなり、上記（１）〜（６）の効果に加え、風による遮光板及びこの遮光板を取り付ける柱体などへの悪影響を防止することができる。
【００２４】
（８）請求項８記載の本発明では、前記風穴に遮光用庇体を設けたことにより、上記（７）の効果に加え、前記遮光用庇体によってさらに風穴から漏れる光を遮断することができる。
【発明を実施するための最良の形態】
【００２５】
本発明に係る遮光装置は、農作物と光源との間に設置し、前記光源からの農作物側への光を遮る遮光板と、同遮光板を不使用時に収納する収納部とを具備して、遮光板によって光源の光が農作物の育成に悪影響を与えてしまうことを防止できるとともに、例えば、農作物が稲などであって、その刈入れ後から苗付けまでの期間など、遮光する必要のない際には、遮光板を収納部内にコンパクトに収納し、遮光範囲を拡大させることができるとともに、遮光装置に対する風などによる悪影響を防止することもできる。したがって、農作物の育成が不良となることをおそれて外灯設置に反対する農業従事者の理解を得ながら、防犯上意義のある外灯設置を推進することが可能となる。
【００２６】
特に、前記光源を外灯とし、同外灯を取り付ける柱体に遮光装置を取り付け可能とすることにより、既設の外灯に手を加えることなく遮光装置を後付けすることが容易となり、外灯設置を要望する住民への要求にいつでも応えることができる。
【００２７】
また、前記遮光板はスライド構造によって前記収納部内に収納可能としたり、折りたたむことによって前記収納部内に収納可能としたりすることができ、いずれの場合でも、遮光の必要のない場合は、遮光板を容易に収納部内に収納しておくことができ、収納時には本遮光装置を取り付けた前記柱体に対する風などの悪影響を防止することができる。
【００２８】
また、前記遮光板は、前記光源に対して取付角度調整自在に構成して、外灯の設置位置を変えることなく、遮光する角度を容易に調整自在とすることができるようにしている。
【００２９】
したがって、例えば農作物を栽培する農地に光を照らさないようにするとともに、路面のみを照らすようにするなどの調整を自在にしながら、取付角度によっては遮光板のサイズを小型化することが可能となる。取付角度を調整する手段としては、例えば遮光板を取り付ける面をテーパ状とした柱体取付用ブラケットなどを用いることができる。
【００３０】
また、前記農作物と光源との間に設置する遮光装置を、前記光源からの農作物側への光を遮る遮光板と、前記光源に対して角度調整自在に構成する可動遮光板を具備して構成して、光源の光が農作物の育成に悪影響を与えることを防止するとともに、角度を自在に調整して所望の方向を照らすことができるようにしてもよい。
【００３１】
さらに、前記遮光板に多数の風穴を形成して、軽量化が図るとともに、風穴によって風を逃がすことで大きな風圧を受けることをなくすとともに、風による遮光板及びこの遮光板を取り付ける柱体などへの悪影響を防止することもできる。当然のことではあるが、この場合、風穴から透過する光量は可及的に少なくする必要がある。
【００３２】
また、前記風穴に遮光用庇体を設けて、前記遮光用庇体によってさらに風穴から漏れる光をより確実に遮断することもできる。
【００３３】
なお、特許請求の範囲及び本明細書中で「外灯」とは「街灯」、「防犯灯」を含む概念である。
【実施例１】
【００３４】
本実施例に係る遮光装置Ａは、図１に示すように、光源である外灯Ｌが取り付けられた電信柱などからなる柱体３上に、前記外灯Ｌの直下方位置に前記外灯Ｌとは独立させて取り付けて、遮光装置Ａを農作物と光源との間に位置させて、前記外灯Ｌからの農作物側への光を遮蔽可能としている。図中、Ｎは農作物を栽培する農地である。
【００３５】
以下、この遮光装置Ａの構成について図２〜図５を参照しながら詳述する。
【００３６】
遮光装置Ａは、外灯Ｌから前記農地Ｎ側への光を遮る略矩形板状に形成した左右の遮光板11,12と、両遮光板11,12を不使用時に収納する収納部２とから構成されている。
【００３７】
前記収納部２は、前記柱体３への取付面を有する収納背面部10の上下端をそれぞれ前方に折曲させ、収納上部片21及び収納下部片23を形成するとともに、さらに下方へ折曲させて収納上側前面片22及び収納下側前面片24を形成している。
【００３８】
さらに、前記収納上側前面片22と前記収納下側前面片24の各両端部近傍間に、矩形帯板状の収納支持板25,26をそれぞれ取り付け、前方及び左右側部が開口された略箱状に構成された収納部２としている。
【００３９】
また、前記収納上部片21の下面と収納下部片23の上面には、それぞれレール機能を有する上部摺動案内板27と下部摺動案内板28を配設している。
【００４０】
すなわち、各上部・下部摺動案内板27,28には、それぞれ、一側の遮光板11を左右方向に摺動自在にガイドする溝状の第１のガイドレール29と、他側の遮光板12を左右方向に摺動自在にガイドする溝状の第２のガイドレール30を形成し、前記第１のガイドレール29内には一側の遮光板11を、第２のガイドレール30内には他側の遮光板12を係入して、各ガイドレール29,30に沿って両遮光板11,12を左右方向にそれぞれ摺動自在としているのである。
【００４１】
このように、収納部２内の遮光板11,12を各ガイドレール29,30に沿ってそれぞれ左右方向に摺動自在とすることで、遮光板11,12の収納作業が極めて容易となり、農地Ｎを遮光する必要がない場合は、遮光板11,12を収納部２内に容易に収納でき、一方、農地Ｎを遮光する際には、前記遮光板11,12を収納部２外へ容易に引き出して、張り出し状態に開くことができる。
【００４２】
また、図５（ｂ）に示すように、前記各ガイドレール29,30には係合凸部29a,30aを形成するとともに、同係合凸部29a,30aに対応させて、前記両遮光板11,12の各所定位置をＬ字状に折曲してストッパを形成している。
【００４３】
このようにして、両遮光板11,12を開いて使用する際、前記ストッパが係合凸部29a,30aにそれぞれ係合し、両遮光板11,12が収納部２から外れ落ちてしまうことを防止している。
【００４４】
また、図２〜図５に示すように、前記収納部２の収納上部片21の左端部近傍から上部摺動案内板27の第１のガイドレール29を連通するように第１ピン挿通孔31を形成するとともに、左側の遮光板11の上端部右側には第１ピン受用孔32を形成している。
【００４５】
また、同様に、収納上部片21の右端部近傍から上部摺動案内板27の第２のガイドレール30を連通するように第２ピン挿通孔33を形成するとともに、遮光板12の上端部左側に第２ピン受用孔34を形成している。
【００４６】
このようにして、第１、第２ピン挿通孔31,33及び第１、第２ピン受用孔32,34を形成し、各遮光板11,12を開く際、前記第１ピン挿通・受用孔31,32及び前記第２ピン挿通・受用孔33,34をそれぞれ符合させ、符合させた状態でロックピン40を挿通して、両遮光板11,12を開いた状態で固定することができる。
【００４７】
また、前記ロックピン40は紐などによって例えば前記収納上部片21に取り付けて、ロックピン40が遮光装置Ａから外れて落ちたりして紛失してしまうことを防止するようにしている。
【００４８】
また、収納背面部10の背面の略中央部と、外灯Ｌを取り付けた柱体３との間に取付金具3aを介設しており、遮光装置Ａを外灯Ｌに取り付けるのではなく、外灯Ｌと独立させて柱体３に容易に取り付けることができるようにしている。
【００４９】
このようにして、農地Ｎと外灯Ｌとの間に遮光装置Ａが位置するように設置することができ、外灯Ｌからの農地Ｎ側への光を両遮光板11,12によって遮断し、外灯Ｌの光が農地Ｎの農作物の育成に悪影響を与えてしまうことを防止できるとともに、遮光する必要のない場合には、遮光板11,12を収納部２内にコンパクトに収納し、外灯Ｌの遮光範囲を拡大させることができるとともに、遮光装置Ａ自体及び同遮光装置Ａと取り付けた柱体３に対する風などによる悪影響を防止することもできる。
【００５０】
また、外灯Ｌのメンテナンス時になどには、上述したように遮光板11,12を収納部２内に収納することができるのでメンテナンス作業の邪魔になることがない。
【００５１】
ところで、図６に示すように、収納部２と取付金具3aとの間に、柱体取付用ブラケット５を介設して、遮光装置Ａの取り付け角度を調整自在とし、両遮光板11,12による外灯Ｌの光を遮る角度を調整自在にすることができる。
【００５２】
かかる柱体取付用ブラケット５は、図７に示すように、側面視略コ字状の角度調整本体６の上側先端部6aを所定角度で下方向へ折曲させるとともに、下側先端6bを所定角度で上方向に折曲させ、折曲された部分により対向する一対の角度調整片7,7を形成し、これら角度調整片7,7により形成される遮光装置Ａの取付面をテーパ状としている。
【００５３】
なお、この角度調整片7,7のテーパ状とする所定角度は、設置環境などに応じて適宜調整することができる。
【００５４】
このようにして、柱体３と遮光装置Ａとの間に、遮光装置Ａの取付角度が調整可能な柱体取付用ブラケット５を用いることで、外灯Ｌの設置位置を変えることなく、容易に遮光する角度についても調整可能となる。
【００５５】
したがって、例えば農地Ｎに光を照らさないようにするとともに、路面のみを照らすように調整するなどの遮光角度の調整ができる。
【００５６】
また、遮光装置Ａの取り付け位置とその取付角度によっては、遮光装置Ａの小型化が図れ、小型化に伴い軽量化できるので、設置作業が容易になるとともに、風などの影響も可及的に小さくできる。
【００５７】
なお、遮光装置Ａを外灯Ｌと完全に独立して取り付けるのではなく、例えば、外灯Ｌの基端部と収納部２の上端とを連結するように遮光装置Ａを配置することもでき、この場合は光源により近接することになるので、遮光装置Ａの大きさをより小さく構成することが可能である。
【実施例２】
【００５８】
図８及び図９に、実施例２としての遮光装置Ａを示す。実施例２に係る遮光装置Ａは、先の実施例と構成を略同じくしているが、収納部２に両遮光板11,12を収納する構成、すなわち収納背面部10の構成が異なっており、以下、その構成について説明する。
【００５９】
本実施例における収納部２の収納背面部10は、矩形板10bの一側端部（図８においては右側端部となる）をチャンネル状に手前側に膨出させて幅厚部51を形成しており（図９を参照）、同幅厚部51の下端を含む矩形板10bの下端縁に沿って、底面構成帯板10aを連設している。
【００６０】
そして、前記幅厚部51の前方右端部に、上下方向に軸線を向けた２個の蝶番50,50を介して、一側の（図８において右側の）遮光板12を枢支するとともに、同様に、収納背面部10の矩形板10bの左端部に、上下方向に軸線を向けた２個の蝶番50,50を介して、他側の（図８において左側の）遮光板11を枢支している。
【００６１】
このようにして、一側端に幅厚部51を形成した収納背面部10の左右端部に蝶番50を介して遮光板11,12をそれぞれ枢支・連結することで、遮光の必要のない場合には、２枚の遮光板11,12を、収納背面部10をなす矩形板10b上に重合するように折畳んだ状態でコンパクトに収納することができる。
【００６２】
また、図８に示すように、両遮光板11,12の収納背面部10側の下端部にはロック補助板11a,12aをそれぞれ連設している。
【００６３】
そして、両ロック補助板11a,12aに第１ピン挿通孔61,63を形成する一方、収納背面部10の前記底面構成帯板10aの左端部及び右端部近傍には第２ピン挿通孔62,64を形成している。
【００６４】
このように、各ピン挿通孔61,62,63,64を形成することにより、各遮光板11,12を開く際には、第1ピン挿通孔61,63と第２ピン挿通孔62,64とをそれぞれ符合させ、符合させた状態でロックピン60を挿通することにより、両遮光板11,12を開いた状態で固定することができる。
【００６５】
なお、図８及び図９中、先の実施例に示した部分に対応する部分には同じ番号を付し、本実施例２ではその説明を省略する。
【実施例３】
【００６６】
図１０（ａ）に実施例３としての遮光装置Ａを示す。本実施例３に係る遮光装置Ａは、例えば左右方向に伸延する外灯Ｌなどに好適に適用可能としたものである。
【００６７】
実施例３に係る遮光装置Ａは、左右方向に伸延する前記外灯ＬのランプＬ２を覆うフードＬ３の左右端部に取付板70を取り付け、同取付板70の後端に、下方向に所定長さ伸延させた矩形板状の遮光板71の上端部を連結する一方、前記取付板70の前端には、左右方向に軸線を向けた蝶番73を介して可動遮光板72を枢支連結して構成している。Ｌ１は外灯Ｌを先端に取り付けた取付アームである。
【００６８】
また、前記遮光板71の側部略中央と前記可動遮光板72の側部略中央との間には遮光板角度調整体74を架設している。
【００６９】
この遮光板角度調整体74は、その中途部を折曲自在にする折曲ヒンジ部75を形成しており、遮光板角度調整体74を所望の角度に折曲できるようにするとともに、同折曲ヒンジ部75は、ボルトなどの固定具76によって所望の角度に折曲させた状態で固定できるようにしている。
【００７０】
このようにして、同遮光板角度調整体74を所望の角度に折曲自在にすることで、その折曲にともなって可動遮光板72の取付板70すなわち換言すれば光源に対する取り付け角度を所望の角度に設定できるようにしている。
【００７１】
また、柱体３にバンドＢを巻回するとともに、同バンドＢに前記取付アームＬ１の基端を取り付けて、遮光装置Ａを外灯Ｌとともに柱体３に容易に取り付け、取り外しができるようにしている。
【００７２】
なお、図１０（ｂ）に示すように、前記取付アームＬ１の基端と、柱体３との間に取付金具3aを介設して、遮光装置Aを外灯とともに柱体３に容易に取り付けることができるようにしてもよい。
【００７３】
このようにして、柱体３に容易に外灯Ｌを取り付けることができるとともに、遮光板71によって後方の農地などへの外灯Ｌの光を遮る一方、可動遮光板72によって前方への外灯Ｌの光を角度を自在に調整して照射することができる。
【００７４】
なお、図中、先の実施例１，２に示した部分に対応する部分には同じ番号を付し、本実施例３ではその説明を省略する。
【実施例４】
【００７５】
図１１及び図１２に、実施例４としての遮光装置Ａを示す。本実施例に係る遮光装置Ａは、実施例１の遮光装置Ａと構成をほぼ同じくしているが、遮光板11,12の構成について異なっており、以下、その構成について説明する。
【００７６】
すなわち、遮光板11,12は、それぞれ枠状の支持フレームＦ内に、左右方向に伸延する多数の遮光用庇体11b,12bを上下方向に所定間隔を開けて配設し、遮光板11,12の軽量化を図るとともに、図１２に示すように、遮光用庇体11b,11b間及び遮光用庇体12b,12b間に多数形成される風穴Ｈによって風Ｗを逃がすことができるようにしている。
【００７７】
したがって、遮光板11,12は大きな風圧を受けることがなくなり、風による遮光板11,12及びこの遮光板11,12を取り付ける柱体３などへの悪影響を防止することができる。なお、当然ながら、遮光板としての機能を損なわないように、前記遮光用庇体11b,12bは、外灯Ｌ側に伸延する先端が基端よりも下方向に向かうルーバ状に構成している。
【００７８】
このように、遮光用庇体11b,12bをルーバ状にして構成することで、風穴Ｈを設けながら遮光することが可能となり、風穴Ｈから農地Ｎ側に漏れる外灯Ｌの光をより確実に遮断することができる。
【００７９】
ここで、両遮光板11,12は、遮光用庇体11b,12bを含めて合成樹脂によって構成することでさらなる軽量化を図ることもできる。
【００８０】
また、本実施例の構成からなる遮光板11,12を、前述した実施例２の遮光板11,12に用いたり、さらには、実施例３の遮光板71及び可動遮光板72に用いたりすることにより、遮光装置Ａへの風による悪影響を防止することもできる。
【００８１】
また、図１１及び図１２中、先の実施例に示した部分に対応する部分には同じ番号を付し、本実施例ではその説明を省略する。
【実施例５】
【００８２】
図１３に示すＡは、実施例５としての遮光装置であり、実施例４の遮光装置Ａと同様に風対策を施したものである。以下、その構成について説明する。
【００８３】
すなわち、遮光板11,12の支持フレームＦ内に上下に伸延する軸体80を配設し、さらに同軸体80を左右方向に所定間隔をあけて複数本配設するとともに、それぞれの軸体80には正面視及び側面視で略菱形とした算盤球状の遮光体Ｓを上下方向に多数取り付けている。
【００８４】
このようにして、遮光板11,12の支持フレームＦ間に遮光体Ｓを多数配設することで、外灯Ｌの光を遮光体Ｓの外周面によって乱反射させ、農地Ｎへ届く光を可及的に減じて遮光するとともに、遮光体Ｓ,Ｓ,……間には、遮光板11,12への大きな風圧を防止する風穴Ｈをそれぞれ形成することができる。
【００８５】
したがって、遮光板11,12の軽量化が図ることができるとともに、風穴Ｈによって風を逃がすことで遮光板11,12が大きな風圧を受けることがなくなる。その結果、風による遮光板11,12及びこの遮光板11,12を取り付ける柱体３などへの悪影響を防止することができる。
【００８６】
さらには、遮光体Ｓは略算盤球状に形成しているので、外周上面は下方傾斜のテーパ面となり、遮光板11,12上に積雪することを防止できる。
【００８７】
また、風対策の変形例として、各遮光板11,12自体をメッシュ状にして構成し、網目によって農地Ｎへ届く光を可及的に減じて遮光するとともに、遮光装置Ａへの風による悪影響を可及的に防止することもできる。
【００８８】
ここで、少なくとも前記遮光体Ｓを合成樹脂によって構成することで、遮光板11,12のさらなる軽量化を図ることができる。
【００８９】
なお、本実施例の遮光板11,12は、実施例２の遮光板11,12に用いたり、実施例３の遮光板71及び可動遮光板72に用いたりして遮光装置Ａへの風による悪影響を防止することもできる。
【００９０】
なお、図１３中、先の実施例に示した部分に対応する部分には同じ番号を付し、本実施例ではその説明を省略する。
【図面の簡単な説明】
【００９１】
【図１】本発明に係る遮光装置の使用状態における全体斜視図。
【図２】本発明に係る遮光装置の全体斜視図。
【図３】本発明に係る遮光装置の使用状態における正面図。
【図４】本発明に係る遮光装置の使用状態における左側面図。
【図５】（ａ）は遮光装置Ａの全体正面図。（ｂ）は遮光装置Ａの全体平面図。（ｃ）は遮光装置Ａの左全体側面図。
【図６】角度調整体を取り付けた場合の遮光装置の使用状態における全体側面図
【図７】角度調整体の全体斜視図。
【図８】（ａ）は実施例２としての遮光装置Ａの全体正面図。（ｂ）は実施例２としての遮光装置Ａの全体平面図。（ｃ）は実施例２としての遮光装置Ａの左全体側面図。
【図９】実施例２としての収納背面部と遮光板の拡大斜視図。
【図１０】実施例３としての使用状態における遮光装置の左側面全体図。
【図１１】実施例４としての遮光装置の全体斜視図。
【図１２】実施例４としての遮光装置の左側面断面図。
【図１３】（ａ）は実施例５としての遮光装置の全体斜視図であり、（ｂ）は同遮光装置の遮光板の部分拡大図。
【符号の説明】
【００９２】
Ａ  遮光装置
Ｌ  外灯
Ｎ  農地
２  収納部
３  柱体
５  柱体取付用ブラケット
11  遮光板
12  遮光板
71  遮光板
72  可動遮光板
Ｈ  風穴
11b  遮光用庇体
12b  遮光用庇体
【図１】
2005071893.tif 000003
【図２】
2005071893.tif 000004
【図３】
2005071893.tif 000005
【図４】
2005071893.tif 000006
【図５】
2005071893.tif 000007
【図６】
2005071893.tif 000008
【図７】
2005071893.tif 000009
【図８】
2005071893.tif 000010
【図９】
2005071893.tif 000011
【図１０】
2005071893.tif 000012
【図１１】
2005071893.tif 000013
【図１２】
2005071893.tif 000014
【図１３】
2005071893.tif 000015